(57)【要約】【課題】  携帯端末を手軽に殺菌すると共に広範囲に殺菌する。【解決手段】  携帯端末用載置器１は、バーコードリーダ２を収容するための収容部４を有する本体部３を備え、バーコードリーダ２が該収容部４に収容された状態で該バーコードリーダ２に対する充電又は通信あるいはその両方を行うものであり、そして、本体部３内に紫外線ＬＥＤ６ａ〜６ｄと、この紫外線ＬＥＤから放出された紫外線を拡散して前記収容されたバーコードリーダ２に照射する紫外線照射部９とを備えた構成としている。【選択図】  図１
2006180357.tif 000002
【特許請求の範囲】
【請求項１】
携帯端末を収容するための収容部を有する携帯端末用載置器であって、
殺菌のための紫外線を放出する紫外線発生手段と、
この紫外線発生手段から放出された紫外線を拡散して前記収容された携帯端末に照射する紫外線照射手段と
を備えたことを特徴とする携帯端末用載置器。
【請求項２】
前記請求項１に記載の携帯端末用載置器において、
前記紫外線照射手段は、前記携帯端末における少なくとも握り部分に対して紫外線を拡散して照射することを特徴とする携帯端末用載置器。
【請求項３】
前記請求項１又は２に記載の携帯端末用載置器において、
前記紫外線照射手段は、表面が凹凸状をなす紫外線透過拡散部材を有してなることを特徴とする携帯端末用載置器。
【請求項４】
前記請求項１又は２に記載の携帯端末用載置器において、
前記紫外線照射手段は、表面が凹凸状をなす紫外線透過拡散部材に加え、紫外線反射部材を有してなることを特徴とする携帯端末用載置器。
【請求項５】
前記請求項１又は２に記載の携帯端末用載置器において、
前記紫外線照射手段は、表面が凹凸状をなす紫外線透過拡散部材に加え、前記紫外線発生手段から放出された紫外線を導いて携帯端末に照射する紫外線導光部材を有することを特徴とする携帯端末用載置器。
【請求項６】
前記請求項１ないし５のいずれかに記載の携帯端末用載置器において、
前記紫外線照射手段は、前記収容された携帯端末を少なくともその握り部においてほぼ包囲する形態に設けられていることを特徴とする携帯端末用載置器。
【請求項７】
前記請求項１ないし６のいずれかに記載の携帯端末用載置器において、
前記収容部への携帯端末の収容を検出する収容検出手段と、
この収容検出手段により前記収容部への携帯端末の収容が検出されたことを条件に前記紫外線発生手段を所定時間駆動して紫外線を放出させる制御手段とを設けたことを特徴とする携帯端末用載置器。
【請求項８】
請求項７に記載の携帯端末用載置器において、
携帯端末が収容部に収容された状態で該携帯端末に対する充電又は通信あるいはその両方を行う機能を備え、
前記収容検出手段は、本体部が備えた充電端子の電圧が所定値以上であること、又は携帯端末と通信可能であること、あるいはその両方をもって携帯端末が収容状態であることを検出することを特徴とする携帯端末用載置器。
【請求項９】
前記請求項１ないし８のいずれかに記載の携帯端末用載置器において、
携帯端末が収容部に収容された状態で該携帯端末に対する充電又は通信あるいはその両方を行う機能を備え、
紫外線発生手段駆動による殺菌制御と、充電動作又は通信動作とを同時に行なうようにしたことを特徴とする携帯端末用載置器。
【請求項１０】
前記請求項１ないし８のいずれかに記載の携帯端末用載置器において、
携帯端末が収容部に収容された状態で該携帯端末に対する充電又は通信あるいはその両方を行う機能を備え、
紫外線発生手段駆動による殺菌制御と、充電動作又は通信動作とを自動的に切替えて行なうようにしたことを特徴とする携帯端末用載置器。
【発明の詳細な説明】
【技術分野】
【０００１】
本発明は、携帯端末を収容するための収容部を有する携帯端末用載置器に関する。
【背景技術】
【０００２】
ハンディタイプのバーコードリーダなどの携帯端末は、携帯端末用載置器の本体部に形成した収容部に収容されて、充電や通信が行われるものである。ところで、このような携帯端末は、最近、医療分野や食品分野で使用されることも多くなってきている。このような分野では、携帯端末の殺菌の必要性が高まっている。なお、携帯端末用載置器とは直接関係がないが、電気かみそりを殺菌するものとして特許文献１がある。
【特許文献１】特開２００４−１０５３２７号公報
【発明の開示】
【発明が解決しようとする課題】
【０００３】
上述した医療分野や食品分野などにおいて携帯端末を殺菌する場合には、該携帯端末をアルコールにより頻繁（使用毎）に殺菌することが行なわれているが、作業者にとってかなり煩わしく、また、不慣れな作業者によっては殺菌作業を忘れてしまうなどの不都合がある。なお、特許文献１に記載のものは、かみそり刃周辺といった狭い部分に直接紫外線ＬＥＤの紫外線を照射するものであり、広い範囲を殺菌することができないものである。従って、外面を広く殺菌したい要望のある携帯端末の殺菌への適用は不可能であった。
【０００４】
本発明は上述の事情に鑑みてなされたものであり、その目的は、携帯端末を手軽に殺菌でき、しかも広範囲に殺菌することが可能となる携帯端末用載置器を提供するにある。
【課題を解決するための手段】
【０００５】
請求項１の発明によれば、携帯端末を収容するための収容部を有する携帯端末用載置器であって、殺菌のための紫外線を放出する紫外線発生手段と、この紫外線発生手段から放出された紫外線を拡散して前記収容された携帯端末に照射する紫外線照射手段とを備えた構成としているから、殺菌のための紫外線を紫外線照射手段により拡散させて携帯端末に照射でき、携帯端末を広範囲で殺菌することができ、しかも、アルコールなどの殺菌剤を使用せずにすむと共に、携帯端末を携帯端末用載置器に収容した状態で殺菌できて、殺菌の容易化を図ることができる。
【０００６】
この場合、前記紫外線照射手段は、前記携帯端末における少なくとも握り部分に対して紫外線を拡散して照射するようにしても良く（請求項２の発明）、このようにすると、殺菌の必要性の高い握り部分を確実に殺菌できて、殺菌効率が良い。また、前記紫外線照射手段は、表面が凹凸状をなす紫外線透過拡散部材を有する構成としても良く（請求項３の発明）、このようにすると、紫外線を均一に拡散することができて、携帯端末に対して均一広範囲に紫外線を照射することができる。
【０００７】
さらに、前記紫外線照射手段は、表面が凹凸状をなす紫外線透過拡散部材に加え、紫外線反射部材を有する構成としても良く（請求項４の発明）、このようにすると、紫外線照射範囲をさらに拡大することができる。さらにまた、前記紫外線照射手段は、表面が凹凸状をなす紫外線透過拡散部材に加え、前記紫外線発生手段から放出された紫外線を導いて携帯端末に照射する紫外線導光部材を有する構成としても良く（請求項５の発明）、このようにすると、紫外線の照射範囲の拡大を図り得ることに加え、紫外線照射が難しい箇所へも紫外線を照射できる。
【０００８】
また、前記紫外線照射手段は、前記収容された携帯端末を少なくともその握り部部分においてほぼ包囲する形態に設ける構成としても良く（請求項６の発明）、このようにすると、携帯端末の握り部を含めたほぼ全周囲を良好に殺菌することができる。
【０００９】
また、前記収容部への携帯端末の収容を検出する収容検出手段と、この収容検出手段により前記収容部への携帯端末の収容が検出されたことを条件に前記紫外線発生手段を所定時間駆動して紫外線を放出させる制御手段とを設けた構成としても良く（請求項７の発明）、このようにすると、携帯が確実に収容されたときに自動的に殺菌を行なうことができ、殺菌をさらに容易に行なうことができる。また、逆にいえば、携帯端末が収容されない状態で紫外線が放出されることがなく、便利である。
【００１０】
この場合、携帯端末が収容部に収容された状態で該携帯端末に対する充電又は通信あるいはその両方を行う機能を備え、前記収容検出手段は、本体部が備えた充電端子の電圧が所定値以上であること、又は携帯端末と通信可能であること、あるいはその両方をもって携帯端末が収容状態であることを検出するものであっても良く（請求項８の発明）、このようにすると、携帯端末用載置器に対する携帯端末の収容検出を確実にしかも簡単に行なうことができる。すなわち、充電機能を備えた携帯端末用載置器では、携帯端末が収容されたときに携帯端末側の電源電圧を検出して充電を開始し所定電圧になると充電を終了するから、充電端子の電圧が所定値以上であることをもって携帯端末が収容されているか否かを良好に検出することができ、わざわざ、収容検出のための手段を設けなくても良い。また、通信機能を備えた携帯端末用載置器では、携帯端末が収容されたときに携帯端末側と通信可能か否かを判定することが可能であるから、該携帯端末側と通信可能であることをもって携帯端末が収容されていることを検出でき、この場合もわざわざ、収容検出のための手段を設けなくても良く、総じて、構成が簡単で済む。
【００１１】
また、携帯端末が収容部に収容された状態で該携帯端末に対する充電又は通信あるいはその両方を行う機能を備え、紫外線発生手段駆動による殺菌制御と、充電動作又は通信動作とを同時に行なうようにしても良く（請求項９の発明）、このようにすると、充電動作中又は通信動作中に紫外線放出動作を行うことができて、時間短縮に効果的である。また、携帯端末が収容部に収容された状態で該携帯端末に対する充電又は通信あるいはその両方を行う機能を備え、紫外線発生手段駆動による殺菌制御と、充電動作又は通信動作とを自動的に切替えて行なうようにしても良く（請求項１０の発明）、このようにすると、殺菌動作に引き続いて充電動作又は通信動作を自動的に行うことができて便利である。
【発明を実施するための最良の形態】
【００１２】
以下、本発明の第１の実施例につき図１ないし図１０を参照して説明する。まず図１ないし図７において、携帯端末用載置器１は、携帯端末としてのハンディタイプのバーコードリーダ２を収容した状態で該バーコードリーダ２に対する充電及び通信を行うものであり、以下、この携帯端末用載置器１について説明する。携帯端末用載置器１は、内部を中空状とした本体部３を備えている。
【００１３】
この本体部３の中央部には、バーコードリーダ２を立て掛け状態に収容可能な凹状の収容部４が形成されている。この収容部４の一部に開放部４ａを形成している以外はバーコードリーダ２の下部をほぼ包囲する形状をなしており、前面側には、バーコードリーダ２の操作部１９に対向する大きさの前盤部４ｂが形成されている。さらに、この収容部４の奥壁部４ｃ下部には充電端子５が一部露出する形態に設けられている。また、この収容部４の底壁部の一部にはバーコードリーダ２とワイヤレス通信するための通信窓部材１２が設けられている。
【００１４】
この本体部３の内部には、紫外線発生手段としての紫外線ＬＥＤ６ａ〜６ｄを実装した基板７や、後述する充電回路１３や通信制御回路１７などが実装された基板８が設けられている。前記紫外線ＬＥＤ６ａ〜６ｄのうち、紫外線ＬＥＤ６ａ、６ｂは、前記奥壁部４ｃの裏側に位置するように設けられ、紫外線ＬＥＤ６ｃ、６ｄは収容部４の左右壁部４ｄ、４ｅの裏側に位置するように設けられている。
【００１５】
紫外線照射手段としての紫外線照射部９は、前記収容部４の内周部に設けられており、紫外線透過拡散部材１０と紫外線反射部材たる紫外線反射部１１と紫外線導光部材１４とを有して構成されている。すなわち、該収容部４の内周面を構成するところの奥壁部４ｃ、左右壁部４ｄ、４ｅを紫外線透過拡散部材１０から構成し、前盤部４ｂの背壁部に例えばめっきあるいは塗装により紫外線反射部１１を形成している。前記紫外線透過拡散部材１０は、図５に示すように表面１０ａがしぼ加工されて微小な凹凸状に形成されており、従って、この紫外線透過拡散部材１０の裏面側に位置する紫外線ＬＥＤ６ａ〜６ｄから放出された紫外線は、この紫外線透過拡散部材１０を透過する折に表面１０ａの微小な凹凸により均一に拡散するものである。
【００１６】
前記本体部３の内部には前記紫外線ＬＥＤ６ｄに対応して例えばアクリル製の紫外線導光部材１４が設けられている。すなわち、図７に示すように、紫外線導光部材１４の一端が紫外線ＬＥＤ６ｄの上方に位置し、他端は本体部３の収容部４の開放部４ａ先端まで導かれて前記紫外線透過拡散部材１０に対向している。つまり、本体部３内部において基板７が配置困難は狭い部分では紫外線ＬＥＤ６ｄの紫外線が紫外線透過拡散部材１０にまで届き難いが、この紫外線透過拡散部材１０により紫外線透過拡散部材１０にまで十分に届かせることが可能である。
【００１７】
図８には、携帯端末用載置器１の電気的構成を示している。充電手段である充電回路１３は、ＡＣ電源２４に接続されるようになっており、このＡＣ電源２４を直流定電圧化する直流電源回路（図示せず）を含んで構成されている。そして、この充電回路１３は、前記充電端子５及び接触端子２３を介してバーコードリーダ２の電源である二次電池（図示せず）を充電するようになっている。電圧検出回路１５はバーコードリーダ２側の二次電池の電圧を検出するものであり、電圧検出結果を制御部１６に与えるようになっている。制御部１６は、ＣＰＵやメモリなどを含んで構成されており、前記二次電池の電圧検出結果が所定電圧より不足しているときには前記充電回路１３により充電し、所定電圧に達すると充電を停止する。また、前記電圧検出回路１５の検出電圧が所定値以上であるときには、制御部１６は、充電端子５とバーコードリーダ２の接触端子２３とが接触している、つまり、バーコードリーダ２が収容状態であることを検出する。
【００１８】
通信手段である通信制御回路１７は前記バーコードリーダ２とワイヤレス通信するものであり、制御部１６はこの通信制御回路１７を介してバーコードリーダ２側と通信可能であるか否かを判断できるものである。さらにこの通信制御回路１７は外部コンピュータと通信可能であり、この通信制御回路１７を介してバーコードリーダ２と外部コンピュータとのデータ通信ができるようになっている。また、前記制御部１６は前記紫外線ＬＥＤ６ａ〜６ｄの通電（駆動）、断電（駆動停止）を後述のように制御する。この紫外線ＬＥＤ６ａ〜６ｄは通電されると殺菌作用を呈する紫外線を放出する。
【００１９】
なお、バーコードリーダ２は、図７に示すように、筐体１８の握り部１８ａの前面にキー入力をするための操作部１９を有し、また握り部１８ａの上部に表示部２０を有し、さらにバーコード読取りのための測定窓２１を有している。さらにまた、筐体１８の底部には、前記通信制御回路１７と通信するための通信窓部材２２と、充電端子５と接触する接触端子２３とが設けられている。そして、該バーコードリーダ２が携帯端末用載置器１の収容部４に収容されると、充電端子５がバーコードリーダ２の接触端子に接触して導通状態となると共に、通信窓部材２２が通信窓部材１２と対向近接する。
【００２０】
さて、前記制御部１６は、収容検出手段、制御手段たるものであり、以下、この制御部１６の制御動作について説明する。図９及び図１０は該制御部１６の制御内容を示すフローチャートである。このフローチャートは、ＡＣ電源２４に接続されたときにスタートする。まず図９において、ステップＰ１では、電圧検出回路１５により検出した電圧が所定値以上か、または、通信制御回路１７がバーコードリーダ２側と通信可能であるか、あるいはその両方であるかを判断する（収容検出手段に相当する）。
【００２１】
そのいずれかであれば（バーコードリーダ２の収容が検出されれば）、ステップＰ２で、殺菌制御を実行する。この殺菌制御は、図１０のフローチャートに示している。このフローチャートのステップＱ１〜ステップＱ３から分かるよう、紫外線ＬＥＤ６ａ〜６ｄに通電（駆動）して紫外線を放出させ、所定時間後に断電する。この後、図９のステップＰ３に移行して、充電回路１３による充電動作を実行し、ステップＰ４で通信制御回路１７により通信動作を実行する。
【００２２】
ところ、ステップＱ１において、紫外線ＬＥＤ６ａ〜６ｄから紫外線が放出されると、この紫外線は紫外線透過拡散部材１０を通過し表面１０ａから均一に拡散して収容部４内方へ均一に照射される。特に、紫外線ＬＥＤ６ａ及び６ｂから放出された紫外線は紫外線透過拡散部材１０を透過して、バーコードリーダ２の握り部１８ａなどに照射されると共に、紫外線ＬＥＤ６ｃ及び６ｄから放出されて紫外線透過拡散部材１０を透過した紫外線は、紫外線反射部１１にて反射して、操作部１９などに照射される。この結果、紫外線がバーコードリーダ２の握り部１８ａを含めたほぼ全周囲に照射され、該バーコードリーダ２が殺菌される。
【００２３】
このような本実施例によれば、紫外線ＬＥＤ６ａ〜６ｄを設けると共に、この紫外線ＬＥＤ６ａ〜６ｄから放出された紫外線を拡散して、収容された状態のバーコードリーダ２に照射する紫外線照射部９を設けたから、殺菌のための紫外線を紫外線照射部９により拡散させてバーコードリーダ２に照射でき、バーコードリーダ２を広範囲で殺菌することができ、しかも、アルコールなどの殺菌剤を使用せずにすむ。さらに、バーコードリーダ２を携帯端末用載置器１に収容した状態で殺菌できて、殺菌の容易化を図ることができる。
【００２４】
この場合、前記紫外線照射部９を、バーコードリーダ２の少なくとも握り部分１８ａに対して紫外線を拡散して照射するようにしているから、殺菌の必要性の高い握り部分を確実に殺菌できて、殺菌効率が良い。
また、紫外線照射部９は、表面１０ａが凹凸状をなす紫外線透過拡散部材１０を有する構成であるから、紫外線を均一に拡散することができて、バーコードリーダ２に対して均一広範囲に紫外線を照射することができる。
【００２５】
さらに、紫外線照射部９は、上記紫外線透過拡散部材１０に加え、紫外線反射部１１を有する構成であるから、紫外線照射範囲をさらに拡大することができる。この場合、前記紫外線照射部９が、収容された状態のバーコードリーダ２をほぼ包囲する形態であるから、バーコードリーダ２の握り部１８ａを含めたほぼ全周囲を良好に殺菌することができる。
さらにまた、紫外線照射部９は、上記紫外線透過拡散部材１０に加え、紫外線導光部材１４を有する構成であるから、紫外線透過拡散部材１０により紫外線透過拡散部材１０にまで十分に届かせることができ、紫外線の照射範囲の拡大を図り得ることに加え、紫外線照射が難しい箇所へも紫外線を照射できる。
【００２６】
また、制御部１７に、収容部４へのバーコードリーダ２の収容を検出する収容検出手段としての機能と、この収容検出手段により収容部４へのバーコードリーダ２の収容が検出されたことを条件に紫外線ＬＥＤ６ａ〜６ｄを所定時間駆動して紫外線を放出させる制御手段との機能を持たせたので、バーコードリーダ２が確実に収容されたときに自動的に殺菌を行なうことができ、殺菌をさらに容易に行なうことができる。また、逆にいえば、バーコードリーダ２が収容されない状態で紫外線が放出されることがなく、便利である。
【００２７】
この場合、前記収容検出手段が、充電端子５の電圧が所定値以上であること、又はバーコードリーダ２と通信可能であることをもってバーコードリーダ２が収容状態であることを検出するものであるから、携帯端末用載置器１に対するバーコードリーダ２の収容検出を確実にしかも簡単に行なうことができ、総じて、構成が簡単で済む。この場合、充電端子５の電圧が所定値以上であること、及びバーコードリーダ２と通信可能であることの両方を検出したことをもって収容検出としても良い。さらに、殺菌制御と、充電動作又は通信動作とを自動的に切替えて行なうようにしたから、殺菌制御に引き続いて充電動作又は通信動作を自動的に行うことができて便利である。
【００２８】
図１１は本発明の第２の実施例を示し、前記紫外線透過拡散部材１０と異なる紫外線透過拡散部材３１が示されている。すなわち、この紫外線透過拡散部材３１は、表面が波形形態の凹凸状をなす構成であり、このようにしても所期の目的を達成できる。
【００２９】
図１２は本発明の第３の実施例を示している。紫外線照射部３２が前記紫外線照射部９と異なる。すなわち、紫外線照射部３２は、前記紫外線透過拡散部材１０に加え、紫外線ＬＥＤ６ａ〜６ｄのうちの例えば紫外線６ｃから放出された紫外線を導いてバーコードリーダ２に照射する紫外線導光部材３３（例えば光ファイバなど）を有する構成としている。この構成によれば、紫外線の照射範囲の拡大を図り得ることに加え、紫外線照射が難しい箇所へも紫外線を照射できる。
【００３０】
なお、本発明は、上述の各実施例に限定されず、次のように実施例を変更しても良い。すなわち、前記第１の実施例では、紫外線ＬＥＤ６ａ〜６ｄ駆動による殺菌制御と充電動作又は通信動作とを連続して実行するようにしたが、各動作を同時に行なうようにしても良い。このようにすると、充電動作中又は通信動作中に紫外線放出動作を行うことができて、時間短縮に効果的である。
【００３１】
また、前記紫外線照射手段は、紫外線透過拡散部材に加え、前記紫外線発生手段から放出された紫外線を集めて携帯端末に集中的に照射する紫外線集光部材（例えばレンズなど）を有する構成としても良い。このようにすると、紫外線の照射範囲の拡大を図り得ることに加え、紫外線照射を必要な箇所へ集中的に照射することもできて、局部的な集中殺菌を図ることもできる。なお、携帯端末としては、携帯電話や、ＰＤＡでも良い。また携帯端末用載置器は充電機能又は通信機能の少なくとも一つを有すれば良い。
【図面の簡単な説明】
【００３２】
【図１】本発明の第１の実施例を示し、バーコードリーダを収容した状態での携帯端末用載置器の縦断側面図
【図２】バーコードリーダを収容した状態での携帯端末用載置器の斜視図
【図３】携帯端末用載置器の斜視図
【図４】携帯端末用載置器の平面図
【図５】紫外線透過拡散部材の破断斜視図
【図６】紫外線導光部材部分の断面図
【図７】バーコードリーダの斜視図
【図８】携帯端末用載置器の電気的構成を示すブロック図
【図９】制御部の制御内容を示すフローチャート
【図１０】殺菌制御を説明するためのフローチャート
【図１１】本発明の第２の実施例を示す図５相当図
【図１２】本発明の第３の実施例を示す図４相当図
【符号の説明】
【００３３】
図面中、１は携帯端末用載置器、２はバーコードリーダ（携帯端末）、３は本体部、４は収容部、６ａ〜６ｄは紫外線ＬＥＤ（紫外線発生手段）、９は紫外線照射部（紫外線照射手段）、１０は紫外線透過拡散部材、１１は紫外線反射部（紫外線反射部材）、１３は充電回路、１４は紫外線導光部材、１５は電圧検出回路、１６は制御部（収容検出手段、制御手段）、１７は通信制御回路、１８ａは握り部、３１は紫外線透過拡散部材、３２は紫外線照射部、３３は紫外線導光部材を示す。
【図１】
2006180357.tif 000003
【図２】
2006180357.tif 000004
【図３】
2006180357.tif 000005
【図４】
2006180357.tif 000006
【図５】
2006180357.tif 000007
【図６】
2006180357.tif 000008
【図７】
2006180357.tif 000009
【図８】
2006180357.tif 000010
【図９】
2006180357.tif 000011
【図１０】
2006180357.tif 000012
【図１１】
2006180357.tif 000013
【図１２】
2006180357.tif 000014